(57)【要約】【課題】フィルタ及びこれを備えたディスプレイ装置を提供する。【解決手段】ベースフィルムと、ベースフィルムの一面上に、互いに所定間隔を隔てて一方向に延長されたストライプ状に配置された複数の第１有色パターンと、を備えるフィルタ、ならびに、ベースフィルムの第１有色パターンが配置された面の反対側の面上に、互いに所定間隔を隔てて一方向に延長されたストライプ状に配置された複数の第２有色パターンをさらに備えるフィルタ、及びこれを備えたディスプレイ装置である。【選択図】図２
2008225433.tif 000002
【特許請求の範囲】
【請求項１】
ベースフィルムと、
前記ベースフィルムの一面上に、互いに所定間隔を隔てて一方向に延長されたストライプ状に配置された複数の第１有色パターンと、を備えるフィルタ。
【請求項２】
前記第１有色パターンの横断面における前記第１有色パターンの幅（ｗ）と前記第１有色パターンどうしの間隔（ｄ）は、ｗ≦ｄ≦９５ｗの関係を満足することを特徴とする請求項１に記載のフィルタ。
【請求項３】
前記第１有色パターンの横断面における前記第１有色パターンの幅は、５μｍ〜５０μｍの範囲から選択されることを特徴とする請求項１に記載のフィルタ。
【請求項４】
前記第１有色パターンの横断面における前記第１有色パターンの厚さは、１μｍ〜２００μｍの範囲から選択されることを特徴とする請求項１に記載のフィルタ。
【請求項５】
前記第１有色パターンの横断面における前記第１有色パターンの厚さに対する幅の比は、０．０２５〜５０の範囲から選択されることを特徴とする請求項１に記載のフィルタ。
【請求項６】
前記ベースフィルムの後面に配置された粘着層をさらに備える請求項１に記載のフィルタ。
【請求項７】
前記ベースフィルムの、前記第１有色パターンが配置された面の反対側の面に、互いに所定間隔を隔てて一方向に延長されたストライプ状に配置された複数の第２有色パターンをさらに備える請求項１に記載のフィルタ。
【請求項８】
前記第２有色パターンは、前記第１有色パターンが配置された位置に対応する位置に配置されることを特徴とする請求項７に記載のフィルタ。
【請求項９】
前記第１有色パターン及び前記第２有色パターンのそれぞれの横断面における前記第１有色パターン及び前記第２有色パターンの幅は同一であり、
前記第１有色パターンと前記第２有色パターンの整列誤差は、前記第１有色パターン及び前記第２有色パターンの幅の０％以上２０％以下であることを特徴とする請求項８に記載のフィルタ。
【請求項１０】
前記第１有色パターン及び第２有色パターンのそれぞれの横断面における前記第１有色パターン及び前記第２有色パターンの幅は同一であり、
前記第１有色パターンどうしの間隔及び第２有色パターンどうしの間隔は同一であり、
前記第１有色パターン及び前記第２有色パターンの幅（ｗ）と前記第１パターン及び前記第２パターンどうしの間隔（ｄ）は、ｗ≦ｄ１≦９５ｗの関係を満足することを特徴とする請求項７に記載のフィルタ。
【請求項１１】
前記第１有色パターン及び第２有色パターンのそれぞれの横断面における前記第１有色パターン及び前記第２有色パターンの幅は、それぞれ、５μｍ〜６０μｍの範囲から選択されることを特徴とする請求項７に記載のフィルタ。
【請求項１２】
前記第１有色パターン及び第２有色パターンのそれぞれの横断面における前記第１有色パターン及び前記第２有色パターンの厚さは、それぞれ、１μｍ〜２００μｍの範囲から選択されることを特徴とする請求項７に記載のフィルタ。
【請求項１３】
前記第１有色パターンの横断面における前記第１有色パターンの厚さに対する幅の比、及び第２有色パターンの横断面における前記第２有色パターンの厚さに対する幅の比は、それぞれ、０．０２５〜６０の範囲から選択されることを特徴とする請求項７に記載のフィルタ。
【請求項１４】
前記第２有色パターンどうしの間の空間を埋めるように前記ベースフィルム及び前記第２有色パターンの外面を覆う粘着層をさらに備える請求項７に記載のフィルタ。
【請求項１５】
前記ベースフィルムには、前記フィルムの色相及び光透過率を調節するための色素または顔料が含まれることを特徴とする請求項１〜１２のいずれか１つに記載のフィルタ。
【請求項１６】
請求項１〜１３のいずれか１つに記載のフィルタが前面に付着された、画像を具現するためのディスプレイパネルと、
前記ディスプレイパネルに駆動信号及び電力を供給して前記ディスプレイパネルを制御する駆動回路基板と、
前記ディスプレイパネル及び前記駆動回路基板を支持するシャーシと、を備えるディスプレイ装置。
【請求項１７】
前記ディスプレイパネルは、ガス放電により画像を表示するプラズマディスプレイパネルであることを特徴とする請求項１６に記載のディスプレイ装置。
【発明の詳細な説明】
【技術分野】
【０００１】
本発明は、フィルタ及びフィルタを備えたプラズマディスプレイ装置に関し、さらに詳細には、内部で発生する光の透過率が高く、外部から入射する光を遮断するため明室コントラストに優れ、さらに、軽量化、薄型化、低コスト化が可能なフィルタ及びこれを備えたプラズマディスプレイ装置に関する。
【背景技術】
【０００２】
プラズマディスプレイパネル（ＰＤＰ）を利用するプラズマディスプレイ装置は、ガス放電現象を用いて画像を表示する平板ディスプレイ装置であって、輝度、コントラスト、残像及び視野角などに関する各種表示能力が既存のＣＲＴ（Ｃａｔｈｏｄｅ−Ｒａｙ  Ｔｕｂｅ）に比べて優秀である上に、薄型であり大画面表示が可能であるので、次世代の大型平板ディスプレイ装置として注目されている。
【０００３】
図１は、プラズマディスプレイ装置で使われる強化ガラスフィルタの構成を示す部分断面図である。
【０００４】
図１に示すように、従来の強化ガラスフィルタは、反射防止層１、熱処理強化ガラス２、エッチングメッシュフィルム３、近赤外線吸収フィルム４などを備え、各層の間には接合のための粘着層５、６、７、８が介在する。
【０００５】
しかし、従来のプラズマディスプレイ装置では、ＰＤＰの前面基板と強化ガラスフィルタとの間で、材質の差による屈折現象によって、映像が二重に反射される問題がある。また、前記強化ガラスフィルタは、外部衝撃に耐えるように一定の厚さ（約３ｍｍ）を有するので、重量及びコストが増加するという問題点があった。それだけでなく、既存の強化ガラスフィルタは、多様な機能を有するフィルムが複合的になる非常に複雑な構造を有しているので、製造工程が面倒であり、やはりコストが増加するという問題があった。これに加えて、従来の強化ガラスフィルタでは、明室コントラストを十分に向上させることができないか、または、明室コントラストを向上させることができる場合であっても、輝度を大きく低下させてしまうという問題点があった。したがって、かかる問題点の解決が強く求められている。
【発明の開示】
【発明が解決しようとする課題】
【０００６】
本発明は、前記問題点を含む様々な問題点を解決するためのものであって、本発明は、輝度低下を緩和しながら明室コントラストをさらに向上させる、重量が減少したフィルタ、及びこれを備えたディスプレイ装置を提供することを目的とする。
【０００７】
また、本発明は、製造コストが減少し、製造が容易なフィルタ及び前記フィルタを備えるディスプレイ装置を提供することを目的とする。
【課題を解決するための手段】
【０００８】
前記目的を達成するために、ベースフィルムと、前記ベースフィルムの一面上に、互いに所定間隔を隔てて一方向に延長されたストライプ状に配置された複数の第１有色パターンとを備えるフィルタを提供する。
【０００９】
ここで、前記第１有色パターンの幅と前記第１有色パターンどうしの間隔は、実質的に同一であるか、または、前記第１有色パターンどうしの間隔の方が大きくされることが望ましい。
【００１０】
ここで、前記第１有色パターンの横断面における前記第１有色パターンの幅は、５μｍ〜５０μｍの範囲から選択されることが望ましい。
【００１１】
ここで、前記第１有色パターンの横断面における前記第１有色パターンの厚さは、１μｍ〜２００μｍの範囲から選択されることが望ましい。
【００１２】
ここで、前記第１有色パターンの横断面における前記第１有色パターンの厚さに対する幅の比は、０．０２５〜５０の範囲から選択されることが望ましい。
【００１３】
ここで、前記フィルムは、前記ベースフィルムの後面に配置された粘着層をさらに備えることが望ましい。
【００１４】
ここで、前記フィルタは、前記ベースフィルムの前記第１有色パターンが配置された面の反対側の面に、互いに所定間隔を隔てて一方向に延長されたストライプ状に配置された複数の第２有色パターンをさらに備えることが望ましい。
【００１５】
ここで、前記第２有色パターンは、前記第１有色パターンが配置された位置に対応する位置に配置されることが望ましい。
【００１６】
ここで、前記第１有色パターン及び前記第２有色パターンの幅は同一であり、前記第１有色パターンと前記第２有色パターンの整列誤差は、前記第１有色パターン及び前記第２有色パターンの幅の０％以上２０％以下であることが望ましい。
【００１７】
ここで、前記第１有色パターン及び第２有色パターンの幅は同一であり、前記第１有色パターン及び前記第２有色パターンどうしの間隔は同一であることが望ましい。
【００１８】
ここで、前記第１有色パターン及び第２有色パターンのそれぞれの横断面における前記第１有色パターン及び前記第２有色パターンの幅は、それぞれ、５μｍ〜６０μｍの範囲から選択されることが望ましい。
【００１９】
ここで、前記第１有色パターン及び前記第２有色パターンのそれぞれの横断面における前記第１有色パターン及び第２有色パターンの厚さは、それぞれ、１μｍ〜２００μｍの範囲から選択されることが望ましい。
【００２０】
ここで、前記第１有色パターンの横断面における前記第１有色パターンの厚さに対する幅の比、及び第２有色パターンの横断面における前記第２有色パターンの厚さに対する幅の比は、それぞれ、０．０２５〜６０の範囲から選択されることが望ましい。
【００２１】
ここで、前記フィルタは、前記第２有色パターンどうしの間の空間を埋めるように前記ベースフィルム及び前記第２有色パターンの外面を覆う粘着層をさらに備えることが望ましい。
【００２２】
ここで、前記ベースフィルムには、前記フィルムの色相及び光透過率を調節するための色素または顔料が含まれることが望ましい。
【００２３】
また、前記のような本発明の目的を達成するために、前記フィルタが前面に付着された、画像を具現するためのディスプレイパネルと、前記ディスプレイパネルに駆動信号及び電力を供給して前記ディスプレイパネルを制御する駆動回路基板と、前記ディスプレイパネル及び前記駆動回路基板を支持するシャーシと、を備えるディスプレイ装置を提供する。
【００２４】
ここで、前記ディスプレイパネルは、ガス放電によって画像を表示するＰＤＰであることが望ましい。
【発明の効果】
【００２５】
本発明によるフィルタ及びこれを備えたプラズマディスプレイ装置は、フィルタがディスプレイパネルの前面に直接付着されるので、二重映像を減少させ、また、厚さが相対的に小さいベースフィルムを用いて形成されるので、重量を減少させる。特に、本発明によるフィルタは、明室コントラストを向上させる効果が大きい。
【発明を実施するための最良の形態】
【００２６】
以下では、添付された図面を参照して本発明の実施形態をさらに詳細に説明する。
【００２７】
図２には、本発明の実施例１によるフィルタ１０の部分断面図が示されている。
【００２８】
図２に示すように、本発明の実施例１によるフィルタ１０は、複数の有色パターン１１及びベースフィルム１３を備える。
【００２９】
複数の前記有色パターン１１は、前記ベースフィルム上で所定間隔のストライプ状に配置される。前記有色パターン１１は、可視光線に対する吸収率の大きい素材からなり、望ましくは、黒色である。前記有色パターン１１は、画面全体が均一に外光反射を低減する効果を発揮するためには、実質的に同じ間隔で配置されることが望ましい。前記有色パターン１１の幅をｗとし、前記有色パターン１１の間の間隔をｄとする場合、ｗ≦ｄ≦９５ｗであることが望ましい。
【００３０】
前記有色パターン１１の幅（ｗ）と前記有色パターン１１の間の間隔（ｄ）とが、実質的に同一である場合は、開口率が５０％となるが、開口率が５０％未満である場合には、フィルタ全体の透過率が低下するため、ディスプレイ装置の輝度が大幅に低減する原因となり望ましくない。また、前記有色パターン１１の幅（ｗ）よりも前記有色パターン１１どうしの間隔（ｄ）の方が大きい場合には、開口率が９５％以下となるように、間隔（ｄ）を幅（ｗ）の９５倍以下にすることが望ましい。もし、開口率が９５％を超えると、外光反射輝度を低減させるフィルタの性能が顕著に低下し、フィルタが明室コントラストを向上させる効果が顕著に減少する。
【００３１】
前記有色パターン１１の横断面における幅（ｗ）は５μｍ〜５０μｍ程度であり、厚さ（ｔ）は１μｍ〜２００μｍであることが望ましい。また、幅（ｗ）は、厚さ（ｔ）の０．０２５倍〜５０倍であることが望ましい。
【００３２】
前記有色パターンの厚さ（ｔ）が２００μｍを超えると、本発明によるフィルタが付着されるディスプレイ装置の視野角が顕著に悪化するため望ましくない。前記有色パターンの厚さ（ｔ）が１μｍ未満である場合、フィルタが明室コントラストを向上させる効果が顕著に低減するため望ましくない。
【００３３】
前記ベースフィルム１３は、可視光線を透過できる材質からなり、本発明によるフィルタ１０をディスプレイ装置の前面に直接付着させる機能を果たす。すなわち、界面特性上、ガラスやプラスチックなどの材質と密着しやすい透明な材質であれば、いかなるものでも使用可能であり、運搬及び付着工程の便宜のために、フレキシブルな材質から形成されることが望ましい。但し、図面に示すように、ディスプレイ装置の前面に付着するために、別途の粘着層１５を使用する場合には、ディスプレイ装置表面との付着のための界面特性や材質は考慮しなくてもよい。
【００３４】
前記ベースフィルム１３についてさらに詳細に説明すれば、次の通りである。すなわち、前記ベースフィルム１３は、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（ＴＡＣ）、セルロースアセテートプロピオネート（ＣＡＰ）などを用いて形成され、望ましくは、ＰＣ、ＰＥＴ、ＴＡＣ、ＰＥＮが用いられる。
【００３５】
前記ベースフィルム１３は、所定の色相を有するように着色されうる。したがって、前記ベースフィルム１３の着色条件を調節することによって、フィルタ１０全体の可視光の透過率を調節できる。例えば、ベースフィルム１３を暗い色相を有するように形成する場合、可視光線透過率が低下する。それだけでなく、前方に投射される可視光の色相を調節しうる。すなわち、ユーザが視覚的に好ましいと感じる色相を有するように全体的にベースフィルム１３の色相を付与でき、本発明によるフィルタが採用されるディスプレイ装置の色純度が向上するように色相を付与できる。また、本発明によるフィルタが採用されるＰＤＰの各サブピクセルに対応するように、ベースフィルム１３の色相をパターン形成することも可能である。しかし、本発明は、これに限定されず、ベースフィルム１３の多様な色補正のために多様な方式でベースフィルム１３が着色されうる。
【００３６】
前記ベースフィルム１３は、平板形状のフレキシブルな性質を有し、その厚さは、５０μｍ〜５００μｍであることが望ましい。但し、ベースフィルム１３の厚さが小さくすぎると、パネル破損時の飛散防止効果が減少し、また、大きすぎると、積層工程の効率が低下するという問題があるので、８０μｍ〜４００μｍの厚さを有することがさらに望ましい。
【００３７】
前述のように、前記ベースフィルムの後方には、ディスプレイ装置を前面に付着するための粘着層１５がさらに配置されてもよい。
【００３８】
前記粘着層１５は、ディスプレイパネルと直接に接するので、二重映像現象を減少させるために、粘着層とディスプレイパネルとの屈折率の差が所定の割合、例えば１．０％を超過しないようにすることが望ましい。
【００３９】
前記粘着層１５は、熱可塑性、またはＵＶ硬化性を有する樹脂を含むことが望ましく、例えば、感圧接着剤（ＰＳＡ：Ｐｒｅｓｓｕｒｅ  Ｓｅｎｓｉｔｉｖｅ  Ａｄｈｅｓｉｖｅ）であるアクリレート系樹脂を含む。このような粘着層は、ディップコーティング（ｄｉｐ  ｃｏａｔｉｎｇ）法、エアーナイフ（ａｉｒ  ｋｎｉｆｅ）法、ローラコーティング（ｒｏｌｌｅｒ  ｃｏａｔｉｎｇ）法、ワイヤバーコーティング（ｗｉｒｅ  ｂａｒ  ｃｏａｔｉｎｇ）法、グラビアコーティング（ｇｒａｖｕｒｅ  ｃｏａｔｉｎｇ）法などを用いて形成されうる。
【００４０】
前記粘着層１５は、近赤外線を吸収する化合物をさらに含みうる。このような化合物としては、銅原子を含有する樹脂、銅化合物や燐化合物を含有する樹脂、銅化合物やＴＨＩＯ誘導体を含有する樹脂、タングステン系化合物を含有する樹脂、シアニン系化合物などが用いられうる。
【００４１】
また、粘着層１５は、ネオン光を遮断して色補正を行うようための染料や顔料のような色素をさらに含みうる。前記色素は、可視光線領域である４００〜７００ｎｍの波長の光を選択的に吸収する機能を果たす。特に、ＰＤＰの放電時、放電ガスであるネオンによって５８５ｎｍ波長付近の不要な可視光が発生するが、前記の可視光を吸収するために、シアニン系、スクアリリウム系、アゾメチン系、キサンテン系、オキソノール系、アゾ系などの化合物が用いられうる。前記の色素を微小な分散粒子の形態で粘着層内に含める。
【００４２】
図３には、本発明の実施例２によるフィルタの構成を概略的に示す部分断面図が示されている。
【００４３】
図３に示すように、本発明の実施例２によるフィルタ２０は、複数の第１有色パターン１１、複数の第２有色パターン１２、及びベースフィルム１３を備える。
【００４４】
前記第１有色パターン１１は、前記ベースフィルムの一面上に、所定間隔のストライプ状に配置される。前記第２有色パターン１２は、前記ベースフィルムの他の面、すなわち、第１有色パターン１２が配置された面の反対側の面上に、所定間隔のストライプ状に配置される。前記第１有色パターン及び第２有色パターンは、可視光線に対する吸収率が大きい素材で形成され、望ましくは、黒色を有する。画面全体が均一に外光反射を低減する効果を発揮するためには、前記第１有色パターン及び第２有色パターンは実質的に同じ間隔で配置されることが望ましい。前記第１有色パターン１１及び第２有色パターン１２の幅をいずれもｗとし、前記第１有色パターン１１及び第２有色パターン１２間の間隔をいずれもｄとする時、ｗ≦ｄ≦９５ｗであることが望ましい。
【００４５】
前記第１有色パターン１１及び第２有色パターン１２の幅（ｗ）と前記第１有色パターン１１及び第２有色パターン１２の間の間隔（ｄ）とが実質的に同一な場合は、開口率が５０％となるが、開口率が５０％未満である場合には、フィルタ全体の透過率が低下するため、ディスプレイ装置の輝度が大幅に低減する原因となり望ましくない。また、前記第１有色パターン１１及び第２有色パターン１２の幅（ｗ）より前記第１有色パターン１１及び第２有色パターン１２の間の間隔（ｄ）が大きい場合は、開口率が９５％以下となるように、間隔（ｄ）を幅（ｗ）の９５倍以下にすることが望ましい。もし、開口率が９５％を超えると、外光反射輝度を低減させるフィルタの性能が顕著に低下し、フィルタが明室コントラストを向上させる効果が顕著に減少する。
【００４６】
前記第１有色パターン及び第２有色パターンは、前記ベースフィルム１３の両面で実質的に同じ位置に配置されることが望ましい。この場合の整列誤差は、第１有色パターン及び第２有色パターンの横断面における幅（ｗ）の２０％以下であることが望ましい。これが２０％以上である場合には開口率が低下し、外光反射を低減させる性能が減少するという問題点がある。
【００４７】
前記第１有色パターン１１及び第２有色パターン１２の断面は、幅（ｗ）が５μｍ〜６０μｍ程度であり、厚さ（ｔ）は、１μｍ〜２００μｍであることが望ましい。また、幅（ｗ）は、厚さ（ｔ）の０．０２５倍〜６０倍であることが望ましい。
【００４８】
前記第１有色パターン１１及び第２有色パターン１２の厚さが２００μｍを超えると、上下視野角が狭くなるという短所がある。前記第１有色パターン１１及び第２有色パターン１２の厚さが１μｍ未満である場合には、外光反射を低減させる効果が顕著に減少する。
【００４９】
前記ベースフィルム１３は、可視光線を透過できる材質からなり、本発明によるフィルタ２０をディスプレイ装置の前面に直接付着させる機能を果たすもので、実施例１で説明した通りである。また、前述のように、別途の粘着層を使用する場合には、ディスプレイ装置の前面との接着性のような特性は考慮しなくてもよい。このとき、粘着層１６は、第２有色パターン１２どうしの間の空間を完全に埋めるように形成されることが望ましく、その他の事項は、実施例１で説明した通りである。
【００５０】
次の表１は、比較例の評価結果及び本発明の実施例２の評価結果の比較のために、これらを要約して示すものである。表１に記載された比較例は、本発明の実施例２と透過率が実質的に同じフィルムフィルタである。表１における輝度の単位は、ｃｄ／ｍ２である。評価実験に使われたフィルタにおいて、有色パターンの線幅は８０μｍ、フィルム厚さは１７５μｍ、有色パターンの間の間隔は８０μｍ、開口率は５０％である。
【００５１】
【表１】
2008225433.tif 000003
【００５２】
前記表の結果から、本発明の実施例２は、比較例のフィルタと同じ透過率を有するが、外光反射輝度を低減し、明室コントラストを２３％ほど向上させるということが分かる。
【００５３】
図４には、本発明によるフィルタを備えるプラズマディスプレイ装置が示されており、図５には、図４のＶ−Ｖ線に沿った断面図が示されている。ここで、プラズマディスプレイ装置は、本発明によるフィルタが適用されうる一例であって、本発明によるフィルタを備えるディスプレイ装置は、プラズマディスプレイ装置に限定されるものではない。
【００５４】
プラズマディスプレイ装置１００は、ＰＤＰ１５０、シャーシ１３０、及び回路部１４０を備える。そして、本発明によるフィルタ１０、２０が、ＰＤＰ１５０の前面に付着される。前記ＰＤＰ１５０とシャーシ１３０との結合のために、両面テープ１５４のような接着手段が使われ、ＰＤＰの作動中に放出される熱を、シャーシを介して発散させるための熱伝導部材１５３が、シャーシ１３０とＰＤＰ１５０との間に配置されうる。
【００５５】
前記ＰＤＰ１５０は、ガス放電によって画像を具現するための、互い結合される前方パネル１５１及び後方パネル１５２を備える。
【００５６】
前記フィルタ１０、２０は、ＰＤＰ１５０の前面に粘着層（図示せず）によって付着されうる。
【００５７】
前記フィルタ１０、２０によって、前記ＰＤＰ１５０から発生した内部可視光線は、前方に透過し、外部から入射される光線は、反射または遮断されるため、ＰＤＰ１５０の明室コントラストが向上する。それだけでなく、フィルタ１０が実質的にＰＤＰ１５０の前面に直接付着されるので、二重映像の問題が根本的に解消される。
【００５８】
また、従来の強化ガラスフィルタに比べて本発明によるフィルタ１０、２０は重量が減少するため、製造及び物流などのコストが節減されるという効果を奏する。
【００５９】
シャーシ１３０は、ＰＤＰ１５０の後方に配置されて、ＰＤＰ１５０を構造的に支持する機能を果たす。シャーシ１３０は、剛性に優れた金属材料であるアルミニウム、鉄などで形成されるか、または、プラスチックで形成されることが望ましい。
【００６０】
ＰＤＰ１５０とシャーシ１３０との間には、熱伝導部材１５３が配置されている。また、熱伝導部材１５３の周縁に沿って複数個の両面テープ１５４が配置されるが、両面テープ１５４は、ＰＤＰ１５０とシャーシ１３０とを互いに固定する機能を果たす。
【００６１】
また、シャーシ１３０の後方には、回路部１４０が配置されるが、回路部１４０は、ＰＤＰ１５０を駆動する回路が配線される。回路部１４０は、信号伝達手段によって電気的信号をＰＤＰ１５０に伝達する。信号伝達手段としては、ＦＰＣ（Ｆｌｅｘｉｂｌｅ  Ｐｒｉｎｔｅｄ  Ｃａｂｌｅ）、ＴＣＰ（Ｔａｐｅ  Ｃａｒｒｉｅｒ  Ｐａｃｋａｇｅ）、ＣＯＦ（Ｃｈｉｐ  Ｏｎ  Ｆｉｌｍ）などが選択されうる。本実施形態によれば、シャーシ１３０の左右側には、信号伝達手段としてＦＰＣ１６１が配置されており、シャーシ１３０の上下側には、信号伝達手段としてＴＣＰ１６０が配置されている。
【００６２】
以上、本発明によるフィルタが適用された例を説明するに当たって、プラズマディスプレイ装置のみを限定して説明したが、本発明によるフィルタは、多様なディスプレイ装置の前面に付着されて用いられうる。
【００６３】
本発明は、図面に示した実施形態を参照して説明されたが、これらの実施形態は、例示的なものにすぎず、当業者ならば、これらから多様な変形、及び均等な他の実施形態が可能であるということが理解できるであろう。したがって、本発明の真の技術的保護範囲は、特許請求の範囲に記載された技術的思想によって決定されなければならない。
【産業上の利用可能性】
【００６４】
本発明は、ディスプレイ関連の技術分野に好適に用いられる。
【図面の簡単な説明】
【００６５】
【図１】従来のフィルタの一例の構成を示す部分断面図である。
【図２】本発明の実施例１によるフィルタの構成を概略的に示す部分断面図である。
【図３】本発明の実施例２によるフィルタの構成を概略的に示す部分断面図である。
【図４】本発明によるフィルタを備えるディスプレイ装置の一例を示す斜視図である。
【図５】図４のＶ−Ｖ線に沿って見た断面図である。
【符号の説明】
【００６６】
１０      フィルタ、
１１      第１有色パターン、
１２      第２有色パターン、
１３      ベースフィルム、
１５      粘着層、
１６      粘着層、
２０      フィルタ、
１００  プラズマディスプレイ装置。
【図１】
2008225433.tif 000004
【図２】
2008225433.tif 000005
【図３】
2008225433.tif 000006
【図４】
2008225433.tif 000007
【図５】
2008225433.tif 000008